(57)【特許請求の範囲】
【請求項１】
光学要素の第１のアパーチャから第２のアパーチャに延在する中心空洞を含み、前記中心空洞は、前記第１のアパーチャから前記第２のアパーチャの方向に徐々に広くなり、前記中心空洞は、前記第１のアパーチャを画成する第１の錐台と前記第２のアパーチャを画成する最後の錐台とを含む透明錐台のスタックによって範囲が定められ、各錐台は、前記第２のアパーチャから前記第１のアパーチャの方向にテーパする第１の表面部を有するプリズム外面と、連続内面とを有し、各連続内面は、前記中心空洞の範囲を定めるように結合する、光学要素と、
環状パターンの複数の固体照明要素とを、有し、
前記第１の錐台は、前記固体照明要素が前記第１の錐台内へと光を放射するように配置されるように、前記複数の固体照明要素上に置かれる、
照明デバイス。
【請求項２】
前記光学要素の各プリズム外面は、反射性の第２の表面部を有し、前記第１の表面部は、前記第２の表面部から前記第１のアパーチャの方向にテーパする、請求項１に記載の照明デバイス。
【請求項３】
反射性の各第２の表面部は、少なくとも所定角よりも下で入射する光線に対して、全反射面である、請求項２に記載の照明デバイス。
【請求項４】
各連続内面は、ホーン形状の面を形成するように結合する、請求項１乃至３の何れか一項に記載の照明デバイス。
【請求項５】
各透明錐台は、環状である、請求項１乃至４の何れか一項に記載の照明デバイス。
【請求項６】
前記連続内面は、曲面又は直線表面である、請求項１乃至５の何れか一項に記載の照明デバイス。
【請求項７】
各透明錐台の前記連続内面から各透明錐台の前記プリズム外面までの平均距離によって規定される各透明錐台の幅は、前記第１のアパーチャから前記第２のアパーチャへの方向に減少する、請求項１乃至６の何れか一項に記載の照明デバイス。
【請求項８】
各連続内面は、内部反射面を形成するように結合する、請求項１乃至７の何れか一項に記載の照明デバイス。
【請求項９】
前記スタックは、一体式スタックである、請求項１乃至８の何れか一項に記載の照明デバイス。
【請求項１０】
前記透明錐台は、光学等級ポリマーで作られる、請求項１乃至９の何れか一項に記載の照明デバイス。
【請求項１１】
前記光学等級ポリマーは、ポリカーボネート、ポリエチレンテレフタレート及びポリメチルメタクリレートから選択される、請求項１０に記載の照明デバイス。
【請求項１２】
前記照明デバイスは、電球である、請求項１に記載の照明デバイス。
【請求項１３】
前記電球は、キャンドル形状の電球である、請求項１２に記載の照明デバイス。
【請求項１４】
請求項１乃至１３の何れか一項に記載の照明デバイスを含む照明器具。
【請求項１５】
光学要素の第１のアパーチャから第２のアパーチャに延在する中心空洞を含み、前記中心空洞は、前記第１のアパーチャから前記第２のアパーチャの方向に徐々に広くなり、前記中心空洞は、前記第１のアパーチャを画成する第１の錐台と前記第２のアパーチャを画成する最後の錐台とを含む透明錐台のスタックによって範囲が定められ、各錐台は、前記第２のアパーチャから前記第１のアパーチャの方向にテーパする第１の表面部を有するプリズム外面と、連続内面とを有し、各連続内面は、前記中心空洞の範囲を定めるように結合する、光学要素であって、
前記光学要素の各プリズム外面は、反射性の第２の表面部を有し、前記第１の表面部は、前記第２の表面部から前記第１のアパーチャの方向にテーパする、
光学要素。
【発明の詳細な説明】
【技術分野】
【０００１】
本発明は、電球といった照明デバイスに使用する光学要素に関する。
【０００２】
本発明は更に、上記光学要素を含む照明デバイスに関する。
【０００３】
本発明は更に、上記照明デバイスを含む照明器具に関する。
【背景技術】
【０００４】
ＬＥＤといった固体照明（ＳＳＬ）要素は、白熱照明デバイスといったエネルギー効率のあまりよくない照明デバイスに代わるものとして、急速に人気を得ている。しかし、ＳＳＬ要素の市場への浸透は、幾つかの要因によって妨げられている。
【０００５】
まず、このようなＳＳＬ要素による発光の性質が本質的に異なることによって、ＳＳＬ要素ベースの照明要素の外観は、同等の白熱照明デバイスの外観とかなり異なる。これは、このようなデバイスによって生成される発光分布にまで及び、白熱照明デバイスは、本質的に、主に全方向性の発光分布を生成する一方で、ＳＳＬ要素ベースの照明要素は、必然的に、より指向性のある発光出力を生成する傾向がある。
【０００６】
次に、ＳＳＬ要素ベースの照明デバイスの製造費は、白熱照明デバイスの製造費よりも著しく高い。この高い費用は、ＳＳＬ要素ベースの照明デバイスの優れた寿命によって相殺されるが、初期費用が高いと考えられ得るので、消費者がＳＳＬ要素ベースの照明デバイスを購入することを躊躇させる。
【０００７】
上記問題は、ＳＳＬ要素ベースの照明デバイスの製造業者に根本的なジレンマを課す。これは、白熱照明デバイスの外観に一致させるようにするには、追加の光学要素を照明デバイスのデザインに追加する必要があるからである。しかし、このような追加の光学要素は、ＳＳＬ要素ベースの照明デバイスの費用を著しく増加させる。この問題は、照明デバイスが電球である場合に、特にキャンドル形状の電球といった従来の外観を有することが求められる電球である場合に、特に関連する。
【０００８】
このような光学要素の一例が、国際特許公開公報ＷＯ２０１０／０７９４３９Ａ１に開示されている。この出願は、ライトガイドの一端に配置される光ユニット内の１つ以上の発光ダイオードからの光が注入される当該ライトガイドと、ライトガイドのもう一端に配置され、そこに入射する光を反射するリフレクタとを含む光学要素について開示している。１つ以上の発光ダイオードは、ライトガイドの一端において中心に配置される。
【０００９】
この光学要素は、白熱電球の発光分布によく似た発光分布が達成されることを確実にする（例えばこの光学要素は、白熱キャンドル電球のスパークリング効果によく似せることが可能である）が、この光学要素のデザインは、光学要素が使用される照明デバイス内の発光ダイオードの数と密接な関係があるという欠点がある。このような光学要素の再使用可能性が制限されることも、ＳＳＬ要素ベースの照明デバイスの費用が比較的高いことに寄与している要因の１つである。
【発明の概要】
【発明が解決しようとする課題】
【００１０】
本発明は、固体照明要素と組み合わせて使用される場合に、全方向性の発光分布に近づけ、また、再使用可能である光学要素を提供することを目的とする。
【００１１】
本発明は更に、上記光学要素を含む照明デバイスを提供することを目的とする。
【００１２】
本発明は更に、上記照明デバイスを含む照明器具を提供することを目的とする。
【課題を解決するための手段】
【００１３】
一態様によれば、光学要素の第１のアパーチャから第２のアパーチャに延在する中心空洞を含み、当該中心空洞は、第１のアパーチャから第２のアパーチャの方向に徐々に広くなり、当該中央空洞は、第１のアパーチャを画成する第１の錐台と第２のアパーチャを画成する最後の錐台とを含む透明錐台のスタックによって範囲が定められ、各錐台は、第２のアパーチャから第１のアパーチャの方向にテーパする第１の表面部と連続内面とを有するプリズム外面を有し、各連続内面は、中心空洞の範囲を定めるように結合する光学要素が提供される。
【００１４】
このような光学要素は、環状パターンの固体照明要素と共に使用することができ、当該固体照明要素は、発光出力が、第１のアパーチャに隣接する光学要素内へと結合するように配置される。結合された連続内面は、固体照明要素の発光出力の一部を反射する一方で、発光出力の別の部分が、湾曲した内面を介して光学要素の空洞内へと移動できるようにする当該（近似）湾曲した内面を形成するように結合する。これにより、ＳＳＬ要素によって生成された光が多数の方向に散乱され、これは、全方向性の輝度及び／又はスパークリング効果の外観を生成するように使用される。同時に、環状パターンにおけるＳＳＬ要素の数は、容易に変えることが可能である。これは、ＳＳＬ要素の数が、光学要素の性能に影響を及ぼさないからである。したがって、光学要素は、多種多様な環状ＳＳＬ要素パターンと共に使用できるので、高度な適応性を提供する。
【００１５】
一実施形態では、各プリズム面は、反射性の第２の表面部を有し、第１の表面部は、第２の表面部から第１のアパーチャの方向にテーパする。これは、光学要素によって生成される散乱度を更に増加し、これにより、光学要素を含む照明デバイスによって生成される全方向性の輝度の近似が更に向上される。
【００１６】
好適には、反射性の各第２の表面部は、当該表面部によって生成される散乱度を高くするために、少なくとも所定角よりも下で入射する光線に対して、全反射面である。
【００１７】
各連続内面は、ホーン形状の面を形成するように結合されてよい。このような表面形状は、ＳＳＬ要素の発光出力を、光学要素を通過してその空洞に入る一部と、光学要素によって散乱される別の部分とに分割する上記目的のために特に適していることが分かっている。
【００１８】
一実施形態では、各透明錐台は、環状である。
【００１９】
透明錐台の連続内面は、曲面又は直線表面である。直線表面を有する錐台の場合、これらの表面は結合されて、空洞の範囲を定める光学要素の近似内面を形成する。
【００２０】
一実施形態では、各透明錐台の連続内面から各透明錐台のプリズム外面までの平均距離によって規定される各透明錐台の幅は、第１のアパーチャから第２のアパーチャへの方向に減少する。これは、光学要素の厚さが、第２のアパーチャから第１のアパーチャへの方向に増加することを意味する。
【００２１】
好適には、各連続内面は、ＳＳＬ要素の発光出力が上記されたように２つの部分に分割されるように、内部反射面を形成するように結合する。
【００２２】
スタックは、好適には、一体式スタックである。即ち、スタックは、単一の材料部品で作られ、錐台は、別個の錐台ではなく、単一の材料部品の一部又はセクションに過ぎない。
【００２３】
一実施形態では、透明錐台は、光学等級ポリマーで作られる。これは、光学要素を、例えば出射成形といった周知の成形処理によって、費用効果的に作製することができるようにする。このような光学等級ポリマーの適切な例は、ポリカーボネート（ＰＣ）、ポリエチレンテレフタレート（ＰＥＴ）及びポリメチルメタクリレート（ＰＭＭＡ）を含む。
【００２４】
別の態様によれば、円形パターンの複数の固体照明要素と、本発明の一実施形態による光学要素とを含み、第１の錐台は、固体照明要素が第１の錐台内へと光を放射するように配置されるように、複数の固体照明要素上に置かれる、照明デバイスが提供される。これは、白熱照明デバイスの発光分布をよく模倣し、その中の光学要素の再使用可能性によって、費用効果的に製造可能である照明デバイスを提供する。
【００２５】
これは、照明デバイスが、キャンドル形状の電球といった電球である場合に、特に有利である。
【００２６】
更に別の態様では、本発明の一実施形態による照明デバイスを含む照明器具が提供される。このような照明器具は、例えば照明デバイスのホルダ（例えば電球のホルダ）、及び／又は、照明デバイスがその中に組み入れられる電気装置（例えばレンジフード、冷蔵庫等）であってよい。
【図面の簡単な説明】
【００２７】
本発明の実施形態は、添付図面を参照して、より詳細に、また、非限定的な例として説明される。
【００２８】
【図１】図１は、本発明の一実施形態による光学要素の横断面を概略的に示す。
【図２】図２は、図１の光学要素の平面図を概略的に示す。
【図３】図３は、本発明の別の実施形態による光学要素の横断面を概略的に示す。
【図４】図４は、本発明の他の実施形態による光学要素の幾つかの態様を概略的に示す。
【図５】図５は、本発明の一実施形態による照明デバイスを概略的に示す。
【図６】図６は、図５の照明デバイスの一態様を概略的に示す。
【図７】図７は、図５の照明デバイスの一態様の斜視図を概略的に示す。
【図８】図８は、本発明の一実施形態による照明デバイスの発光分布プロットを示す。
【発明を実施するための形態】
【００２９】
当然ながら、図面は、概略に過ぎず、縮尺通りに描かれていない。更に、当然ながら、同じ又は同様の部分を示すために、図面の全体を通して、同じ参照符号が使用される。
【００３０】
図１は、本発明の一実施形態による光学デバイス１０の横断面を概略的に示し、図２は、光学デバイス１０の平面図を概略的に示す。光学デバイス１０は、複数の錐台３０によって形成される本体を有する。各錐台３０は、内面３６を有する。錐台３０の内面３６は、光学要素１０の内部空洞２０の範囲を定めるように結合する。錐台３０は、内部空洞２０が、第２のアパーチャ１４から第１のアパーチャ１２に向かってテーパするように成形される。つまり、内部空洞２０は、第１のアパーチャ１２から第２のアパーチャ１４の方向に徐々に広がる。錐台３０の内面３６は、結合された内面３６によって形成される光学要素の内面２２が連続面、即ち、角度のない表面であるように湾曲面であってもよい。
【００３１】
各錐台３０は、第２のアパーチャ１４から第１のアパーチャ１２への方向にテーパする、即ち、内側に傾斜する第１の表面部３４を含むプリズム外面を有する。各プリズム外面は更に、第１の表面部３４が第２の表面部３３から第１のアパーチャ１２に向かってテーパするように第２のアパーチャ１４に向く第２の表面部３３を含む。一実施形態では、第１の表面部３４は、反射表面部であり、好適には、全反射表面部である。
【００３２】
一実施形態では、光学要素１０の内部空洞２０の直径は、第１のアパーチャ１２から第２のアパーチャ１４の方向に増加する。つまり、その連続的な内面３６からそのプリズム外面３２までの平均距離によって規定される各錐台３０の平均幅は、第１のアパーチャ１２から第２のアパーチャ１４への方向に減少する。一実施形態では、内部空洞２０は、ホーン形状であり、当該ホーンの出口は、第２のアパーチャ１４である。このようなホーン形状の内面２２の利点の１つは、以下により詳細に説明されるように、光学要素１０の本体を通り進行する光の表面との入射角に応じて、屈折面及び反射面の両方として作用可能である点である。
【００３３】
光学要素１０のこの特定の形状の目的は、ＬＥＤ（発光ダイオード）といった固体照明要素５を用いて説明される。光学要素１０は、固体照明要素５の発光面が、光学要素１０の本体の第１のアパーチャの範囲を定める面に向くように配置されるようにデザインされる。動作中、固体照明要素５によって生成される光は、光学要素１０の本体に入り、この本体中を、内面２２又はプリズム面３２によって画成される外面に達するまで移動する。
【００３４】
内面２２において、固体照明要素５によって生成される光の一部は、光学要素１０の本体と、内面２２によって画成されるその内部空洞２０との境界において、屈折される一方で、固体照明要素５によって生成される光の別の一部は、内面２２によって、プリズム面３２の方に反射される。当業者には明らかであるように、内面２２によって反射される光の一部は、光学要素１０の本体の材料（より適切には、当該材料の屈折率）の選択と、内面２２の弧度とによって、予め決定可能である。例えば光学要素１０の本体材料の屈折率は、本体の適切な材料（例えば適切なポリマー）の選択によって制御可能である。適切な光学等級のポリマーは、ポリカーボネート、ＰＭＭＡ及びＰＥＴを含むが、これらに限定されない。
【００３５】
内面２２において屈折される光の一部は、内部空洞２０内へと進み、第２のアパーチャ１４を介して、光学要素１０から出射する。内面２２によって反射される光の一部は、プリズム面３２へと進み、ここで、光は光学要素１０から出射する。一実施形態では、この光は、プリズム面３２から、屈折して出射する。代替実施形態では、プリズム面３２の第２の表面部３３は、反射面であり、好適には、全反射面であり、これらの表面に入射する光が、プリズム面３２の隣接する第１の表面部３４に向かって反射され、光学要素１０から、屈折して出るような反射面、好適には、全反射面である。この実施形態では、第２の表面部３３の反射性が、光学要素１０によって生成される発光出力にスパークリング効果を生成する。
【００３６】
当業者には明らかであるように、プリズム面３２は、光学要素１０が使用される応用分野の要件に従って成形されてよい。例えば第１の表面部３４と第２の表面部３３との間の角度が、これらの要件に従って選択される。
【００３７】
図１に示される実施形態では、内面２２は滑面である。当然ながら、これは、非限定的な例に過ぎない。図３に示される代替実施形態では、内面２２は、連続面に近いマルチファセット面である。この実施形態では、各錐台３０は、直線である内面部３６を有し、各錐台３０は、内面２２のファセットの１つを画成する。光学要素１０の他の特徴は、図１を用いて既に説明された特徴と同じであるため、これらの特徴は、簡潔にすることのみを目的として、説明を繰り返さない。
【００３８】
図１及び図３では、プリズム面３２は、平面的にカットされる。即ち、第２の表面部３３は、水平面内に置かれるが、これは、非限定的な例に過ぎない。例えば図４のパネル（ａ）に示されるように、第１の表面部３４と第２の表面部３３との間の角度がアッパーカットであるか、又は、図４のパネル（ｂ）に示されるように、第１の表面部３４と第２の表面部３３との間の角度がアンダーカットである少なくとも一部のプリズム表面３２を有する光学要素１０を提供することも同等に実現可能である。当然ながら、本発明の一実施形態による光学デバイス１０は、すべて同じ方法（例えばプレーナカット、アンダーカット又はアッパーカット）でカットされるプリズム面３２を含んでも、又は、異なるようにカットされたプリズム面３２の任意の組み合わせを含んでもよい。
【００３９】
図５は、本発明の一実施形態による照明デバイス１の横断面を概略的に示す。照明デバイス１は、任意の適切な形状を有してよい透明又は半透明の球状部材２を含む。例えば一実施形態では、球状部材２はキャンドル形状である。球状部材２は、光学等級ポリマー又はガラスといった任意の適切な材料で作られている。一実施形態では、球状部材２は拡散器として作用する。照明デバイス１は更に、発光ダイオードといった複数の固体照明要素５を担持する担体４を含む。発光ダイオードは、有機半導体発光ダイオードであっても、無機半導体発光ダイオードであってもよい。
【００４０】
固体照明要素５は、通常、図６により詳細に示される環状パターンに配置される。この環状パターンに、任意の適切な数の固体照明要素５が含まれてよい。なお、本願のコンテキストでは、環状パターンとの用語は、固体照明要素５の担体４上の偏心位置決めを指す。各固体照明要素５は、略同じ距離だけ中心から離間される。複数の固体照明要素５は、２つの個体照明要素５しか含んでいなくてもよいが、上記から分かるように、照明デバイス１内の固体照明要素５の数は、照明デバイスの光学部品のデザインを変更する必要なく、容易に変えることが可能である。
【００４１】
照明デバイス１は更に、光学要素１０の一実施形態を含む。光学要素１０は、図１を用いてより詳細に説明されたように、固体照明要素５の各自の発光面が、光学要素１０の第１のアパーチャ１２の範囲を定める本体面に向くように、固体照明要素５上に配置される。当業者には明らかであるように、固体照明要素５の環状パターンの半径は、通常、これらの固体照明要素５の発光面が、光学要素１０の本体と整列するように選択される。
【００４２】
この半径が一定に保たれる限り、固体照明要素５の数は、光学要素１０のデザイン変更を必要とすることなく変えることが可能である。これは、これらの固体照明要素５によって生成される光の光学的操作が、これらの固体照明要素５の光学要素１０の本体に対する位置に依存するに過ぎないからである。これは、例えば光学要素１０は、様々な出力を有する照明デバイス１の製造を可能にすることを意味する。比較的多数の固体照明要素５を照明デバイス１のデザインに組み入れることが可能であるため、特に高出力を有する照明デバイス１を提供することが可能である。環状パターンにおける固体照明要素５の密度を増加すればよいだけだからである。
【００４３】
照明デバイス１は更に、例えばねじ込み取付け具又は差し込み取付け具である任意の適切な形状を有してよい取付け具又はエンドキャップ３を含む。図５には、ねじ込み取付け具が示される。
【００４４】
図７は、照明デバイス１の一実施形態のイメージを概略的に示す。照明デバイス１の横断面が、斜視図で示され、その中に、球状部材２内の光学要素１０を容易に確認できる。この実施形態では、光学要素１０は、図１を用いて詳細に説明された目的のために、ホーン形状の内面を有する。
【００４５】
図８に、本発明の一実施形態による照明デバイス１を用いて達成可能な例示的な光分布が示される。この光分布プロットから分かるように、光学要素１０の存在によって、生成されたすべての光の約３５％が下方向に、即ち、第１のアパーチャ１２に一致する平面に向かう方向に確実に反射される。光学要素１０の一実施形態を含む照明デバイス１は、約９０％の光学効率を達成可能であることも分かった。これは、光学要素１０の一実施形態を含む照明デバイス１は、非常に効率的であり、白熱電球といった白熱照明デバイスの発光出力分に布に似た光出力分布を生成可能であることを示す。
【００４６】
一実施形態では、照明デバイス１は電球である。電球は、非限定的な例として、キャンドル電球又はＥＳ電球といった任意の適切な形状又はサイズであってよい。
【００４７】
照明デバイス１は、照明器具に組み入れられてもよい。このような照明器具は、例えば照明デバイスのホルダ（例えば電球のホルダ）、及び／又は、照明デバイスがその中に組み入れられる電気装置（例えばレンジフード、冷蔵庫等）であってよい。当業者には、上記照明器具の他の適切な実施形態が明らかであろう。
【００４８】
なお、上記実施形態は、本発明を限定するものではなく、説明するものであり、当業者であれば、添付の請求項の範囲から離れることなく、多くの代替実施形態をデザインすることができよう。請求項において、括弧内に配置される任意の参照符号は、請求項を限定すると解釈されるべきではない。「含む」との用語は、請求項に列挙される要素又はステップ以外の要素又はステップの存在を排除するものではない。要素に先行する「ａ」又は「ａｎ」との用語は、当該要素が複数存在することを排除するものではない。本発明は、幾つかの別個の要素を含むハードウェアによって実施される。幾つかの手段を列挙するデバイスクレームにおいて、これらの手段のうちの幾つかは、同一のハードウェアアイテムによって具体化されてよい。特定の手段が相互に異なる従属請求項に記載されることだけで、これらの手段の組み合わせを有利に使用できないことを示すものではない。
【図１】
0006516301.tif 000002
【図２】
0006516301.tif 000003
【図３】
0006516301.tif 000004
【図４（ａ）】
0006516301.tif 000005
【図４（ｂ）】
0006516301.tif 000006
【図５】
0006516301.tif 000007
【図６】
0006516301.tif 000008
【図７】
0006516301.tif 000009
【図８】
0006516301.tif 000010